(57)【要約】【課題】  腕が快適的になる空圧式の袖構造を提供する。【解決手段】  空圧式の袖構造であり、主として、衣服の袖にエアーバッグ構造が設けられ、当該エアーバッグ構造上には、バルブ構造が設けられ、空気がバルブ構造によりエアーバッグ構造に吹き込まれることによって、エアーバッグ構造が膨張することにより、腕が快適的になるものである。【選択図】図１
0003114525.tif 000002
【実用新案登録請求の範囲】
【請求項１】
衣服の袖にエアーバッグ構造が設けられ、当該エアーバッグ構造上に、バルブ構造が設けられ、空気がバルブ構造によりエアーバッグ構造に吹き込まれることによって、当該エアーバッグ構造が膨張することにより、腕がより快適的になる、ことを特徴とする空圧式の袖構造。
【請求項２】
当該エアーバッグ構造は、C文字形状である、ことを特徴とする請求項１に記載の空圧式の袖構造。
【請求項３】
当該エアーバッグ構造には、色々のサイズや形状のエアーバッグ袋が設けられ、空気を流通させるために、当該エアーバッグ袋同士が互いに連通する、ことを特徴とする請求項１又は２に記載の空圧式の袖構造。
【請求項４】
当該エアーバッグ構造は、袖と一体化するように、袖の前段の位置に設置される、ことを特徴とする請求項１に記載の空圧式の袖構造。
【請求項５】
当該エアーバッグ構造は、袖の中に設置される、ことを特徴とする請求項１に記載の空圧式の袖構造。
【請求項６】
当該エアーバッグ構造は、袖の外に設置される、ことを特徴とする請求項１に記載の空圧式の袖構造。
【請求項７】
当該結合方式は、裁縫やチャック、ボタン(ボタン穴)或いはマジックベルトの何れかの一つである、ことを特徴とする請求項４〜６に記載の何れかの一つの空圧式の袖構造。
【請求項８】
当該バルブ構造は、更に空気送りポンプと排出バルブが設けられ、当該空気送りポンプに、空気入りバルブと空気出バルブが設けられ、当該空気出バルブに空気送りパイプが設けられ、当該空気送りパイプとエアーバッグ構造上の注入バルブとが接続され、当該排出バルブがエアーバッグ構造上に設置され、当該エアーバッグ袋が排出バルブにより空気を排出して元の扁平形状に戻る、ことを特徴とする請求項１に記載の空圧式の袖構造。
【考案の詳細な説明】
【技術分野】
【０００１】
本考案は、袖とエアーバッグとを結合して、腕を保護するだけでなく、快適的になるそして血液循環を圧迫しない、例えば、オーバーや洋服、帽子付きジャケット及びジャケット...等、或いは類似する構造であるものに適用される、空圧式の袖構造に関する。
【背景技術】
【０００２】
一般の、従来の衣服は、内層構造と外層構造とがあり、そして、衣服の内層には、棉花や布或いは他の材質が充填されることにより、衣服に保温の効果を与えるが、実用上には、不十分なところがある。
【０００３】
また、人々は、よく短い休憩時間を利用して、机の上で仮眠し、また、腕を枕として頭を支える、または、物を枕とするのが多く、例えば、中華民国特許証書第00252354号「一体成形の透気枕」のようなもので、腕や顔が圧迫されて血液循環が悪くなるか一時に麻痺することになり、その構造は、当該枕に天然ゴム材やシリカゲルが充填されて作製されるものであり、枕の充填物の作製には、モールドに上記の充填物材を注入し、当該モールドの上型と下型に、枕を形成するインサートが設置され、上型と下型に、複数のタイベアーが設けられ、上型と下型の間に、注入口が設けられ、注入口から、モールドの内部にある上型と下型によって成形するための枕の充填物の原料が注入され、モールドに設けられるタイベアーが、枕の充填物の透気穴になる。
【０００４】
上記の従来の衣服は、保温の効果が得られるが、快適な枕としての機能がなく、また、当該透気枕は、天然ゴム材やシリカゲルからなり、携帯することが不便であり、そして、体積が大きくて、実用上、不十分である。
【０００５】
本考案者は、上記の欠点を解消するため、慎重に研究開発して、衣服の袖と結合でき、体積が小さい枕に類似する空圧式の袖構造を提案する。
【考案の開示】
【考案が解決しようとする課題】
【０００６】
本考案の主な目的は、エアーバッグ構造により、圧迫される腕や顔を保護し、より快適になり、衣服の袖と結合でき、体積が小さい枕に類似する空圧式の袖構造を提供する。
【課題を解決するための手段】
【０００７】
本考案は、上記の目的を達成するため、衣服の袖にエアーバッグ構造が設けられ、当該エアーバッグ構造上に、バルブ構造が設けられ、空気がバルブ構造によりエアーバッグ構造に吹き込まれることによって、当該エアーバッグ構造が膨張することにより、腕がより快適的になる。
【０００８】
本考案の他の特徴や具体的な実施例は、以下の、図面を参照しながら詳しく説明により明白になる。
【考案を実施するための最良の形態】
【０００９】
本考案は、図１、２のように、空圧式の袖構造であり、主として、衣服11の袖10にエアーバッグ構造20が設けられ、当該エアーバッグ構造20に色々のサイズや形状のエアーバッグ袋21が設けられ、空気を流通させるために、当該エアーバッグ袋21同士が互いに連通し、また、排出バルブ35と注入バルブ36が設けられ、そして、当該エアーバッグ構造20上にバルブ構造30が設けられ、空気送りポンプ31と排出バルブ35が設けられる当該バルブ構造30が衣服のポケット14の中に入れられ、空気がバルブ構造30によりエアーバッグ構造20へ送られて、エアーバッグ構造20を膨張し、当該空気送りポンプ31に空気入りバルブ32(空気入りだけの逆止弁)と空気出バルブ33、当該空気出バルブ33に空気送りパイプ34が接続され、当該空気送りパイプ34とエアーバッグ構造20上の注入バルブ36とが接続され(注入バルブ36が空気入りの逆止弁である)、当該排出バルブ35がエアーバッグ構造20上に設けられることにより、当該エアーバッグ袋21は、排出バルブ35により空気を排出して元の扁平形状に戻る。
【００１０】
上記の構造である空圧式の袖構造は、図１、２のようであり、本考案の特徴は、当該袖10にエアーバッグ構造20が設けられ、当該エアーバッグ構造20上にバルブ構造30が設けられることにより、空気がバルブ構造30によりエアーバッグ構造20へ注入され、また、空気送りポンプ31と排出バルブ35が設けられる当該バルブ構造30が衣服のポケット14の中に入れられ、当該空気送りポンプ31に空気入りバルブ32と空気出バルブ33が設けられ、当該空気出バルブ33に空気送りパイプ34が接続され、当該空気送りパイプ34とエアーバッグ構造20上の注入バルブ36とが接続され、当該排出バルブ35がエアーバッグ構造20上に設けられることにより、エアーバッグ構造20は、空気を注入することにより膨張され、そのため、使用上、簡単且つ速くて、腕を保護して腕をより快適にする効果が得られる、実用性と便利性のある空圧式の袖構造が形成される。
【００１１】
本考案によれば、図３、４のように、使用する時、C文字形状である当該エアーバッグ構造20を、衣服11の袖10に、囲むように結合して一体になり、空気を注入すると、当該エアーバッグ構造20が、膨張したエアーバッグ袋21になり、これにより、腕を保護して、血液循環が悪くなることを防止でき、腕がより快適的になる。
【００１２】
本考案によれば、図５のように、使用する時、衣服の外層12と衣服の内層13の間に設置されているエアーバッグ構造20は、当該エアーバッグ袋21に空気を注入していない場合、衣服11の中で平らになり、空気を注入した後、当該エアーバッグ袋21が膨張することにより、腕を保護して、血液循環が悪くなることを防止でき、腕がより快適的になる。また、パソコンのマウスを操作する時、袖10のエアーバッグ構造20を手部の保護パッドとすることもでき、腕は、より快適的になる。
【００１３】
本考案によれば、図６のように、袖10の外縁にチャック15を設置して接合し、当該エアーバッグ構造20を使用する時、袖10の中から取り出して衣服の外層12に入れて、そして、空気を注入して当該エアーバッグ袋21を膨張させることにより、腕を保護し、血液循環が悪くなることを防止でき、腕がより快適になり、それとも、当該エアーバッグ構造20は、一端が袖の中に固定設置され、空気を注入することにより膨張すると、自動的に袖の外縁を囲むような構造でもいい(図に未表示)。
【００１４】
当該エアーバッグ構造20上に、排出バルブ35と注入バルブ36が設けられ、当該バルブ構造30の代わりに当該注入バルブ36を使用するため、空気送りポンプ31と空気送りパイプ34を設置する必要がなく、口で空気を吹き込むことにより、注入バルブを介して空気をエアーバッグ構造20へ注入して、エアーバッグ構造20が膨張することにより、使用上、簡単且つ速くて、実用性と便利性のある空圧式の袖構造が形成される。
【００１５】
以上のように、本考案は、当該袖にエアーバッグ構造が設けられ、当該エアーバッグ構造上にバルブ構造が設けられることにより、空気がバルブ構造によりエアーバッグ構造に注入されて、エアーバッグ構造を膨張させ、これにより、腕がより快適的になり、そのため、実用性や安全性が大幅に向上されるから、法に従って実用新案登録を出願する。
【００１６】
以上の説明は、ただ、本発明のより良い実施例であり、本発明の明細書や請求の範囲に従って、様々の等価変更や修正は、全てが、本発明の請求の範囲に含まれる。
【図面の簡単な説明】
【００１７】
【図１】本考案に係わる実施例の立体外観図
【図２】本考案に係わる実施例の構造概念図
【図３】本考案に係わる実施例の断面概念図
【図４】本考案に係わる実施例の使用外観図
【図５】本考案に係わる実施例の第1使用状態の概念図
【図６】本考案に係わる実施例の第2使用状態の概念図
【符号の説明】
【００１８】
10・・・袖
11・・・衣服
12・・・衣服外層
13・・・衣服内層
14・・・ポケット
15・・・チャック
20・・・エアーバッグ構造
21・・・エアーバッグ袋
30・・・バルブ構造
31・・・空気送りポンプ
32・・・空気入りバルブ
33・・・空気出バルブ
34・・・空気送りパイプ
35・・・排出バルブ
36・・・注入バルブ
【図１】
0003114525.tif 000003
【図２】
0003114525.tif 000004
【図３】
0003114525.tif 000005
【図４】
0003114525.tif 000006
【図５】
0003114525.tif 000007
【図６】
0003114525.tif 000008
【手続補正書】
【提出日】平成17年6月20日(2005.6.20)
【手続補正１】
【補正対象書類名】実用新案登録請求の範囲
【補正対象項目名】請求項７
【補正方法】変更
【補正の内容】
【請求項７】
当該結合方式は、裁縫やチャック、ボタン(ボタン穴)或いは面ファスナーの何れかの一つである、ことを特徴とする請求項４〜６に記載の何れかの一つの空圧式の袖構造。
【手続補正書】
【提出日】平成17年7月25日(2005.7.25)
【手続補正１】
【補正対象書類名】実用新案登録請求の範囲
【補正対象項目名】請求項７
【補正方法】変更
【補正の内容】
【請求項７】
当該結合方式は、裁縫やチャック、ボタンとボタン穴、或いは面ファスナーの何れかの一つである、ことを特徴とする請求項４〜６に記載の何れかの一つの空圧式の袖構造。
【手続補正２】
【補正対象書類名】明細書
【補正対象項目名】０００７
【補正方法】変更
【補正の内容】
【０００７】
本考案は、上記の目的を達成するため、第１考案として、衣服の袖にエアーバッグ構造が設けられ、当該エアーバッグ構造上に、バルブ構造が設けられ、空気がバルブ構造によりエアーバッグ構造に吹き込まれることによって、当該エアーバッグ構造が膨張することにより、腕がより快適的になることを特徴とする空圧式の袖構造を提供する。
また、第２考案として、当該エアーバッグ構造は、C文字形状である、ことを特徴とする第１考案に係る空圧式の袖構造を提供する。
また、第３考案として、当該エアーバッグ構造には、色々のサイズや形状のエアーバッグ袋が設けられ、空気を流通させるために、当該エアーバッグ袋同士が互いに連通する、ことを特徴とする第１考案か第２考案に係る空圧式の袖構造を提供する。
また、第４考案として、当該エアーバッグ構造は、袖と一体化するように、袖の前段の位置に設置される、ことを特徴とする第１考案に係る空圧式の袖構造を提供する。
また、第５考案として、当該エアーバッグ構造は、袖の中に設置される、ことを特徴とする第１考案に係る空圧式の袖構造を提供する。
また、第６考案として、当該エアーバッグ構造は、袖の外に設置される、ことを特徴とする第１考案に係る空圧式の袖構造を提供する。
また、第７考案として、当該結合方式は、裁縫やチャック、ボタンとボタン穴、或いは面ファスナーの何れかの一つである、ことを特徴とする第４考案〜第６考案の何れか一つに係る空圧式の袖構造を提供する。
また、第８考案として、当該バルブ構造は、更に空気送りポンプと排出バルブが設けられ、当該空気送りポンプに、空気入りバルブと空気出バルブが設けられ、当該空気出バルブに空気送りパイプが設けられ、当該空気送りパイプとエアーバッグ構造上の注入バルブとが接続され、当該排出バルブがエアーバッグ構造上に設置され、当該エアーバッグ袋が排出バルブにより空気を排出して元の扁平形状に戻る、ことを特徴とする第１考案に係る空圧式の袖構造を提供する。